(57)【要約】【課題】  運搬、設置、解体等の作業が容易で、しかも、展示ブースに応じたデザインの自由度が高い装飾用部材を提供するものである。【解決手段】  この考案は、垂直方向に立設した複数枚を横方向へ屏風状に連結する平板状のパネルの表面側に配置する所定のデザインが施された装飾用部材に係り、横方向に沿って隣接するもの同士が横端部で若干重複するように複数枚に分割形成された樹脂製のシート２ａ〜２ｃからなり、シート２ａ〜２ｃの重複する横端部Ｂ１、Ｂ２において同一デザインＣ１、Ｃ２が施されている。【選択図】図３
0003209713.tif 000002
【実用新案登録請求の範囲】
【請求項１】
垂直方向に立設した複数枚を横方向へ屏風状に連結する平板状のパネルの表面側に配置する所定のデザインが施された装飾用部材であって、横方向に沿って隣接するもの同士が横端部で若干重複するように複数枚に分割形成された樹脂製のシートからなり、前記シートの重複する前記横端部において同一デザインが施されていることを特徴とする装飾用部材。
【請求項２】
前記シートの夫々は、その上端部に前記パネルの上端部に繋着する吊り器具を有することを特徴とする請求項１に記載の装飾用部材。
【考案の詳細な説明】
【技術分野】
【０００１】  本考案は、垂直方向に立設した複数枚を横方向へ屏風状に連結する平板状のパネルの表面側に配置する所定のデザインが施された装飾用部材に関するものである。
【背景技術】
【０００２】  各種の学会や教育施設における展示会、商品の見本市や物産展等の展示会では、広い会場内において平板状のパネルを垂直方向に立設すると共に前記パネルを複数枚横方向へ屏風状に連結することにより周囲を区画するブース（小間）を設置して出展者を区分することが行われている（例えば、特許文献１参照）。
【先行技術文献】
【特許文献】
【０００３】
【特許文献１】特開平１０−７２８９４号公報
【考案の概要】
【考案が解決しようとする課題】
【０００４】  斯かるブースにおける前記パネルは、通常は展示会の主催者が指定するレンタル品であることから、出展者が独自性を出すために前記パネルに加工（切断、鋲うち、穴あけ、着色、描画等）をすることは許されないため、前記ブースは画一的なものとなりやすく、同一会場における他の出展者との差別化が困難であった。【０００５】  本考案は、このような従来の問題を解決するものであり、運搬、設置、解体等の作業が容易で、しかも、前記ブースを構成する前記パネルのデザインの自由度が高い装飾用部材の提供を目的とするものである。
【課題を解決するための手段】
【０００６】  本考案は、垂直方向に立設した複数枚を横方向へ屏風状に連結する平板状のパネルの表面側に配置する所定のデザインが施された装飾用部材であって、横方向に沿って隣接するもの同士が横端部で若干重複するように複数枚に分割形成された樹脂製のシートからなり、前記シートの重複する前記横端部において同一デザインが施されているものである。【０００７】  特に、前記シートの夫々は、その上端部に前記パネルの上端部に繋着する吊り器具を有するものである。
【考案の効果】
【０００８】  本考案によれば、ブースに応じたデザインの装飾用部材とすることにより、ブースのパネルを加工することなく自由な装飾をパネルに施すことができるのみならず、シート単位での取り扱いができることから、製作、運搬、設置、解体等の作業が容易であり、特に、吊り器具による取り付けを可能とすることにより、特殊な工具や能力を要することなく誰でも容易にパネルに配置することができる。
【図面の簡単な説明】
【０００９】
【図１】  ブースの構成を説明する斜視図である。
【図２】  本考案の一実施例の要部斜視図である。
【図３】  同上の要部平面図である。
【考案を実施するための形態】
【００１０】  垂直方向に立設した複数枚を横方向へ屏風状に連結する平板状のパネルの表面側に配置する所定のデザインが施された装飾用部材であって、横方向に沿って隣接するもの同士が横端部で若干重複するように複数枚に分割形成された樹脂製のシートからなり、前記シートの重複する前記横端部において同一デザインが施されており、前記パネルを加工することなく自由な装飾を前記パネルに施すことができるのみならず、前記シート単位での取り扱いができることから、製作、運搬、設置、解体等の作業が容易である。
【００１１】  特に、前記シートの夫々は、その上端部に前記パネルの上端部に繋着する吊り器具を有するので、特殊な工具や能力を要することなく誰でも容易に前記パネルに配置できることから、設置、解体等の作業が容易である。
【実施例】
【００１２】  以下、添付図面に従って一実施例を説明する。【００１３】  図１は、ブースＡの仕様を示すもので、両面白色仕上げのビニールコーティング合板（縦２７０センチ×横１００センチ）からなるパネル１を正面に３枚（正面左からパネル１ａ〜１ｃ）、その両側に９０度の角度を付けて前方へ配置した左右壁に各２枚（正面手前からパネル１ｄ〜１ｅ、１ｆ〜１ｇ）を屏風状に連結して、一つのブースＡを構成しているもので、このブースＡは、間口が約３メートル、奥行きが約２メートル、高さが約２．７メートルとなる。【００１４】  図２、図３は、本考案の一実施例を示しており、２は、ポリエステル等の樹脂製布素材を用いてその表面にはブースＡに応じて所定のデザインが施されたシート（装飾用部材）である。【００１５】  このシート２は、例えばパネル１ａ〜１ｃで構成される正面に取り付ける場合に多分割（２分割以上）した複数枚で構成されるもので、例えば、パネル１ａ〜１ｃと略同じ大きさの３分割（２ａ〜２ｃ）した３枚で構成される。【００１６】  また、各シート２の隣接するもの同士であるシート２ａとシート２ｂ、シート２ｂとシート２ｃを夫々若干（数センチ）重複して取り付けるために、シート２の重複する横端部Ｂにおいて同一デザインＣが形成されている。【００１７】  すなわち、隣接するシート２ａ、２ｂの横端部Ｂ１ではデザインＣ１が同じであり、隣接するシート２ｂ、シート２ｃの横端部Ｂ２ではデザインＣ２が同じであるが、横端部Ｂ１、Ｂ２は、デザインＣ１、Ｃ２が同じになる場合もあるし、異なる場合もある。【００１８】  斯かる構成により、ブースＡに応じたデザインの自由度が高いシート２を得ることができ、シート２ａ〜２ｃ単位での取り扱いができることから、運搬、設置、解体等の作業が容易である。【００１９】  ところで、このシート２ａ〜２ｃをパネル１ａ〜１ｃに取り付ける場合、両面テープや面ファスナーを用いることができるが、展示会によってはパネル１へのダメージを考慮してそれらの使用による取り付けを許可しない場合もある。【００２０】  このような場合に対応するものとして、シート２は、パネル１に取り付けるためのシート２の上端部裏側に厚手樹脂板などの補強部材３を併設してシート２と補強部材３を重ねた個所に鳩目孔４を設け、これに着脱可能な所謂Ｓ字フック、ナスカン、カラビナなどの金属製や樹脂製の吊り器具を繋着し、この吊り器具をパネル１の上端部などに引っかけることにより、シート２をパネル１に固定することができるもので、本実施例では、１枚のシート２に２個の鳩目孔４を設け、各鳩目孔４に夫々Ｓ字フック（吊り器具）５を用いる例を示している。【００２１】  このＳ字フック５を用いることにより、特殊な工具や作業を要することなく誰でも容易にシート２をパネル１に取り付けることができるので、設置、解体等の作業が容易であるし、その際にパネル１の表面へダメージを与える危険性を回避することができる。【００２２】  なお、本考案は、上記実施例に限定されるものではなく、本考案の技術的範囲内で種々の変更を行うことが可能であることは言うまでもない。【００２３】  例えば、ブースＡの左壁パネル１ｄ〜１ｅや、右壁パネル１ｆ〜１ｇにシート２を用���て装飾することも可能であり、この場合にも、シート２は、多分割（２分割以上）で構成されるもので、例えば、パネル１ｄ〜１ｅやパネル１ｆ〜１ｇに応じてシート２は横方向に沿って隣接するもの同士が横端部で若干重複してように左右各２分割した各２枚に分割形成された構成にすると共に、シートの重複する横端部において同一デザインが施されることにより、上述した作用効果を発揮できる。【００２４】  また、シート２をパネル１に取り付ける構成は種々選択可能であり、Ｓ字フック５以外にもナスカン、カラビナなどの吊り器具が利用できるし、このような吊り器具は必ずしも必要ではなく、例えば丈夫な紐により取り付けることもできる。
【符号の説明】
【００２５】Ａ  ブース
Ｂ（Ｂ１、Ｂ２）  横端部
Ｃ（Ｃ１、Ｃ２）  デザイン
１（１ａ〜１ｇ）  パネル
２（２ａ〜２ｃ）  シート（装飾用部材）
３  補強部材
４  鳩目孔
５  Ｓ字フック（吊り器具）
【図１】
0003209713.tif 000003
【図２】
0003209713.tif 000004
【図３】
0003209713.tif 000005